(57)【要約】      （修正有）【課題】封緘する粘着テープを容易に剥がすことができる段ボール箱を提供する。【解決手段】段ボール紙から組み立てられ、底壁と、四周側壁２と、上面フラップ３ａと、を備え、段ボール紙は、四周側壁２においてその幅方向が上下方向となるように配置され、各上面フラップ３ａの突き合わせ部分から左側壁、右側壁２ｄの上部にかけて封緘用の粘着テープ９が貼り付けられる段ボール箱１であって、左側壁、右側壁２ｄの各上面フラップ３ａの突き合わせ部分の下方に、粘着テープ９の端部が貼り付けられ、下辺が切込線からなる切り取り可能な方形の切離領域１２と、切離領域の下方に隣接して設けられ、切離領域の切込線からなる上縁と、上縁の下方に切込線として設けられ、両端が上縁の両端と前後方向に一致する下縁と、上縁と下縁とを結ぶ切込線からなる押込線１１ｃと、を有する押込領域１１と、を備える。【選択図】図１
0003214314.tif 000002
【実用新案登録請求の範囲】
【請求項１】
波状の中芯と、前記中芯の表面側に積層される表ライナと、前記中芯の裏面側に積層される裏ライナとを有する段ボール紙から組み立てられ、
底壁と、
前記底壁から立設された四周側壁と、
前記四周側壁のうち前側壁および後側壁の各上縁から延出するとともに内側に折り曲げると互いに上縁を突き合わせた状態となる上面フラップと、
を備え、
前記段ボール紙は、前記四周側壁において当該段ボール紙の幅方向が上下方向となるように配置され、
前記四周側壁のうち左側壁の上部から前記各上面フラップの突き合わせ部分を経て前記四周側壁のうち右側壁の上部にかけて封緘用の粘着テープが貼り付けられる段ボール箱であって、
前記左側壁および前記右側壁の少なくとも一方の、前記各上面フラップの突き合わせ部分の下方に、
前記粘着テープの端部が貼り付けられ、水平方向に延びる下辺が切込線からなる切り取り可能な方形の切離領域と、
前記切離領域の下方に隣接して設けられ、前記切離領域の前記切込線からなる上縁と、前記上縁の下方に切込線として設けられ、両端が前記上縁の両端と前後方向に一致する下縁と、前記上縁と前記下縁とを結ぶ切込線からなる押込線と、を有する押込領域と、
を備えることを特徴とする段ボール箱。
【請求項２】
前記左側壁および右側壁の両方に、前記切離領域および前記押込領域が設けられていることを特徴とする請求項１に記載の段ボール箱。
【請求項３】
前記切離領域は、左辺および右辺が切込線であり、上辺が複数の切込部と前記切込部の間に設けられた押罫部とからなるリード罫であることを特徴とする請求項１または請求項２に記載の段ボール箱。
【請求項４】
前記切離領域が、前記上辺の両端が前記切込部であることを特徴とする請求項１から請求項３までのいずれか１項に記載の段ボール箱。
【考案の詳細な説明】
【技術分野】
【０００１】
本考案は、段ボール箱に関する。
【背景技術】
【０００２】
さまざまな物品を収容し、収容された物品を運搬、保管する容器として、安価かつ軽量である段ボール箱が広く用いられている。
【０００３】
段ボール箱の一例として、直方体状に構成されたものが知られている。すなわち、段ボール箱は、底壁と、底壁から立設された四周側壁と、四周側壁のうち対向する一対の側壁の各上縁から延びるフラップとを備え、このフラップは、内側に折り曲げると互いに上縁を突き合わせた状態となる。
【０００４】
このような段ボール箱を封緘する方法として、フラップを閉じた後、フラップを突き合わせた部分からその下方に位置する側壁の上部にかけて、粘着テープを貼り付ける方法が広く行われている。
【０００５】
封緘された段ボール箱を開封して収容された物品を取り出す際には、粘着テープを手で剥がすか刃物で切断する必要がある。
【０００６】
しかし、粘着テープを手で剥がす場合には、段ボール箱の側壁に密着した粘着テープの端部を一つ一つ爪等で起こし、その端部を摘んで引き剥がすこととなるため、開封作業が面倒であるばかりか作業効率が悪い。
【０００７】
一方、刃物を使用する場合は、その使用にあたって周囲に配慮する必要があり、また粘着テープの切断時に内容物を損傷することもしばしば見受けられる。また、そもそも刃物が手近にないことも懸念される。これらの問題点や懸念は、例えば災害が起こった場合の避難所において顕著である。すなわち避難所には多くの人々が集合しており、また支援物資等が収納された段ボール箱を大量に開封しなければならないため、上記の懸念等が顕著に表れる。
【０００８】
そこで、粘着テープを容易に剥がすことができる段ボール箱として、特許文献１では、フラップの突き合わせ部分の下方に位置する側壁の上部に、側壁から切離し可能な切離部と、切離部の下方に隣接する押込部とを設け、押込部は、切離部の下縁と共通の切込線からなる上縁と、上縁の中央から下方に延びる切込線からなる押込線と、押込線の下端から水平に左右両側方向に延びる切込線からなる下縁とを有するものが提案されている。この段ボール箱では、封緘時には粘着テープがフラップの突き合わせ部分から切離部にかけて貼り付けられる。
【０００９】
特許文献１では、粘着テープで封緘されたこの段ボール箱において、押込部の押込線上を指で押し込んで側壁に隙間を形成し、この隙間から切離部を掴んで上縁を軸として側壁の外側方向に曲げ、さらに切離部を粘着テープとともに引き上げることにより、段ボール箱から粘着テープを容易に剥がすことができるとされている。
【先行技術文献】
【特許文献】
【００１０】
【特許文献１】実用新案登録第３１６４０５３号公報
【考案の概要】
【考案が解決しようとする課題】
【００１１】
特許文献１に開示された段ボール箱では、押込部の上部を押し込むと、押込部上縁の各端部とそれぞれの端部の下方に位置する下縁の端部とを結ぶ線を折り目として側壁の一部が折れ曲がる。このとき、押込部は上縁よりも下縁の方が短いため、折り目は側壁の上下方向に対して傾斜することとなる。
【００１２】
ここで、段ボール箱を構成する段ボール紙は、波形（段形状）である中芯の段頂が側壁において鉛直方向に延びるように配置される、すなわち段ボール紙の幅方向が上下方向となるように配置されるのが一般的である。
【００１３】
そのため、特許文献１に開示された段ボール箱では折り目と中芯の段とが交差し、押込線を押し込む際に折り目において中芯の段を折り曲げることとなり、大きな力が必要となる。また、折り目に反発力が発生するため、手を放すと形成された隙間がすぐに塞がり、切離部を粘着テープとともに引き上げる際に指が引っ掛かるおそれがある。
【００１４】
このように、特許文献１に開示された段ボール箱では、封緘する粘着テープは容易に剥がすことができるとしても、押込部を押し込んで側壁に隙間を形成する際に大きな力が必要であり、容易開封性に改善の余地がある。
【００１５】
本考案は、このような問題に鑑みてなされたものであり、押込部の押込みを含め、封緘する粘着テープを容易に剥がすことができる段ボール箱を提供することを目的とする。
【課題を解決するための手段】
【００１６】
本考案者は、種々検討した結果、上記目的は、以下の考案により達成されることを見出した。
【００１７】
本考案の一局面に係る段ボール箱は、波状の中芯と、前記中芯の表面側に積層される表ライナと、前記中芯の裏面側に積層される裏ライナとを有する段ボール紙から組み立てられ、底壁と、前記底壁から立設された四周側壁と、前記四周側壁のうち前側壁および後側壁の各上縁から延出するとともに内側に折り曲げると互いに上縁を突き合わせた状態となる上面フラップと、を備え、前記段ボール紙は、前記四周側壁において当該段ボール紙の幅方向が上下方向となるように配置され、前記四周側壁のうち左側壁の上部から前記各上面フラップの突き合わせ部分を経て前記四周側壁のうち右側壁の上部にかけて封緘用の粘着テープが貼り付けられる段ボール箱であって、前記左側壁および前記右側壁の少なくとも一方の、前記各上面フラップの突き合わせ部分の下方に、前記粘着テープの端部が貼り付けられ、水平方向に延びる下辺が切込線からなる切り取り可能な方形の切離領域と、前記切離領域の下方に隣接して設けられ、前記切離領域の前記切込線からなる上縁と、前記上縁の下方に切込線として設けられ、両端が前記上縁の両端と前後方向に一致する下縁と、前記上縁と前記下縁とを結ぶ切込線からなる押込線と、を有する押込領域と、を備える。
【００１８】
本考案によれば、段ボール紙は幅方向が四周側壁において上下方向となるように配置され、左右側壁に形成される押込領域は切込線である上縁と下縁の両端が前後方向で一致する。すなわち上縁の一端の直下に下縁の一端が位置し、また上縁の他端の直下に下縁の他端が位置する。そのため、押込線を押し込むと左右側壁の押込領域部分は、その上縁の各両端と下縁の各両端とをそれぞれ結ぶ線に沿って内側に折れ曲がる。その際に形成される折り目は段ボール紙の幅方向と平行である。段ボール紙について幅方向とは、波状の中芯の波（以下「段」ともいう。）の頂上が延びる方向、すなわち段に平行な方向をいう。
【００１９】
以上のことから、本考案に係る段ボール箱では、折り目は段ボール紙の幅方向と平行であるため、押込線を押し込む際に中芯の段を折り目で折り曲げる必要がなく、折り目が段ボール紙の幅方向に対して傾斜する場合と比べて押込線は非常に軽い力で押し込むことができ、押込領域において左右側壁には容易に隙間を形成することができる。
【００２０】
この隙間から指を差し込めば、切離領域において左右側壁を容易に掴むことができる。端部が切離領域の内側に位置するように貼り付けられた封緘用の粘着テープは、左右側壁の切離領域部分を引き上げれば共に引き上げられるため、端部を一つ一つ爪等で起こさなくても容易に剥がすことができる。
【００２１】
また、本考案によれば、上述のように押込線を押し込む際に形成される折り目が段ボール紙の幅方向と平行であるため、当該折り目に反発力が発生したとしても非常に小さい。そのため、押込領域において左右側壁に隙間を形成した後で一旦手を離したとしても当該隙間は塞がりにくく、左右側壁の切離領域部分を粘着テープと共に引き上げる際に指が引っ掛かる可能性が低くなる。
【００２２】
前記段ボール箱は、前記左側壁および右側壁の両方に、前記切離領域および前記押込領域が設けられていてもよい。
【００２３】
このように構成すれば、段ボール箱の向きを変えることなく左右いずれの側壁からも粘着テープを容易に剥がすことができる。さらに、開封した後で両側壁の切離領域部分を切り離せば、これにより形成された開口部を持ち手として、段ボール箱を両手で容易にかつ安定して持ち上げることができる。
【００２４】
前記段ボール箱は、前記切離領域が、左辺および右辺が切込線であり、上辺が複数の切込部と前記切込部の間に設けられた押罫部とからなるリード罫であってもよい。
【００２５】
ここで、「押罫」とは、段ボール紙に切れ目ができないように筋状に押し込んで形成された罫線をいう。また、「リード罫」とは、当該押罫からなる押罫部と段ボール紙を表ライナから裏ライナまで貫通する切込部とが交互に設けられた罫線をいう。「罫線」とは、段ボール紙が所定の場所で折れ曲がるように折り目となる部分に設けられる折り筋または折り筋と切込みとを組み合わせたものであり、押罫およびリード罫はいずれも罫線の一種である。リード罫は、段ボール紙を折り曲げた際に当該罫線位置で折り曲げられる確実性が押罫に比べて高く、また小さい力で折り曲げられる罫線である。
【００２６】
このように構成すれば、左側壁または右側壁の切離領域部分は、下辺が押込領域から切り離され、左辺および右辺が左側壁または右側壁の残りの部分（以下「本体」ともいう。）から切り離されており、リード罫である上辺だけが本体とつながっているため、押込領域に形成された隙間から指を差し込んで切離領域を外向きに引っ張ると、非常に軽い力で上辺を軸として引き上げられる。
【００２７】
さらに、切離領域の上辺はリード罫であるため、上辺が単なる押罫である場合や、押罫も設けられていない場合に比べて軽い力で、左右側壁の切離領域部分を左右側壁の本体から切り離すことができる。
【００２８】
そのため、左右側壁の押込領域に隙間を形成する時だけでなく、隙間を形成した後、左右側壁の切離領域部分を本体から切離し、粘着テープを段ボール箱から剥がすまでの一連の作業も、軽い力で行うことができる。
【００２９】
前記段ボール箱は、前記切離領域が前記上辺の両端が前記切込部であってもよい。
【００３０】
このようにすれば、切離領域の上辺の長さよりも粘着テープの幅が狭い場合において、切離領域を引き上げて粘着テープを剥がす際に表ライナが剥がれる範囲を、上辺の少なくとも一端が押罫部である場合と比べて狭くすることができる。具体的には、切離領域の上辺の長さよりも粘着テープの幅が狭い場合において上辺の少なくとも一端が押罫部であると、切離領域を引き上げる際に、上辺端部の粘着テープが貼られていない押罫部の上側まで表ライナが剥がれることとなる。また、表ライナの剥がれる方向が定まらず、表ライナは上辺と同じかそれよりも広い幅で剥がれることとなる。しかし、上辺の両端が切込部であれば、切込部がノッチとして作用し、表ライナの剥がれる方向が上辺の中央側に向かう方向に誘導されるため、上辺端部の粘着テープが貼られていない切込部の上側では表ライナが剥がれない。そのため、より軽い力で切離領域を粘着テープとともに左側壁または右側壁から切り離すことができる。
【考案の効果】
【００３１】
本考案によれば、押込領域の押込みを含め、封緘する粘着テープを容易に剥がすことができる段ボール箱を提供することができる。
【図面の簡単な説明】
【００３２】
【図１】図１は、本考案の一実施形態に係る段ボール箱の概観斜視図である。
【図２】図２は、本考案の一実施形態に係る段ボール箱の展開図である。
【図３】図３は、本考案の一実施形態に係る段ボール箱の部分斜視図である。
【図４】図４は、本考案の一実施形態に係る段ボール箱の押込領域および切離領域周辺の部分拡大図である。
【図５】図５は、押込領域に隙間を形成する状態を示す模式図である。
【図６】図６は、切離領域を引き上げて粘着テープを剥がす状態を示す模式図である。
【考案を実施するための形態】
【００３３】
以下では本考案に係る段ボール箱を実施するための形態について適宜添付した図面を参照しながら説明する。なお、各図中の構成部材の寸法は、実際の構成部材の寸法および各構成部材の寸法比率等を忠実に表したものではない。
【００３４】
〈段ボール箱の構成〉
（全体の構成）
図１は本考案の一実施形態に係る段ボール箱の概観斜視図であり、図２は当該段ボール箱の展開図である。図１では、段ボール箱の前後方向を矢印Ａ方向、段ボール箱の左右方向を矢印Ｂ方向、段ボール箱の上下方向を矢印Ｃ方向として示した。
【００３５】
図１に示すように、段ボール箱１は、封緘状態では直方体形状であり、四角筒状の四周側壁２と、その上端および下端にそれぞれ上壁３および底壁（不図示）とを備える。四周側壁２は、底壁から立設されている。
【００３６】
図２に示すように、段ボール箱１は、前側壁２ａ、後側壁２ｂ、左側壁２ｃおよび右側壁２ｄと、前側壁２ａおよび後側壁２ｂの各上縁から延出する上面外フラップ３ａ（上面フラップ）と、左側壁２ｃおよび右側壁２ｄの各上縁から延出する上面内フラップ３ｂと、前側壁２ａおよび後側壁２ｂの各下縁から延出する下面外フラップ５ａと、左側壁２ｃおよび右側壁２ｄの各下縁から延出する下面内フラップ５ｂと、前側壁２ａの左縁から延出する台形の継ぎ代７とを備える。前側壁２ａ、後側壁２ｂ、左側壁２ｃおよび右側壁２ｄは四周側壁２を構成する。また、各上面外フラップ３ａおよび各上面内フラップ３ｂは上壁３を構成し、各下面外フラップ５ａおよび各下面内フラップ５ｂは底壁を構成する。
【００３７】
段ボール箱１は、均一な厚さの１枚の段ボール紙を用いて形成され、封緘状態で直方体形状に形成される。段ボール箱１の寸法は特に限定されず、収容される内容物の大きさ等を考慮して設定される。
【００３８】
図３は、段ボール箱の部分斜視図である。段ボール箱１を構成する段ボール紙は、波状（段形状）の中芯１ａと、中芯１ａの表面側に積層される表ライナ１ｂと、中芯１ａの裏面側に積層される裏ライナ１ｃとを有する。段ボール紙は、中芯１ａの段の頂上（段頂）が延びる方向が「幅方向」、この幅方向に直交する方向が「進行方向」と一般に呼ばれており、図３にはこれらの方向を示している。本実施形態に係る段ボール箱１は、上下方向の強度を確保するため、段ボール紙の幅方向が四周側壁２の上下方向となるように、段ボール原紙から図２に示す展開した状態に打ち抜かれる。
【００３９】
図２に示す段ボール箱１の各側壁同士の境界、各側壁とこれに接するフラップとの境界、または前側壁２ａと継ぎ代７との境界に付された細線は折り目を示している。これらの折り目には段ボール箱１の組み立て時に折り曲げを容易とするため、罫線が設けられていることが好ましく、罫線は押罫が好ましい。
【００４０】
ここで、「罫線」とは、段ボール紙が所定の場所で折れ曲がるように、折り目となる部分に設けられる折り筋、または折り筋と切込みとを組み合わせたものをいい、押罫および後述するリード罫は罫線の一種である。「押罫」とは、段ボール紙に切れ目ができないように筋状に押し込んでできた罫線をいう。
【００４１】
罫線は、段ボール箱１を段ボール原紙から打ち抜くのと同時に設けてもよいし、打ち抜いた後で設けてもよい。ただし、罫線を打ち抜きと同時に設ければ、打ち抜き工程および罫線を形成する工程に必要な時間を短縮することができ、展開状態の段ボール箱１を効率よく製造することができる。
【００４２】
段ボール箱１において、前側壁２ａと後側壁２ｂとは合同な方形であり、左側壁２ｃと右側壁２ｄも合同な方形である。また、これら４つの側壁は上下方向の高さが等しい。
【００４３】
各上面外フラップ３ａおよび各下面外フラップ５ａは合同な方形であり、前側壁２ａまたは後側壁２ｂの各上縁または各下縁から延出する方向の長さが左側壁２ｃまたは右側壁２ｄの上縁の長さの半分である。そのため、上面外フラップ３ａおよび下面外フラップ５ａを内側に折り曲げて閉じると、互いの上縁を突き合わせた状態となる。また、各上面外フラップ３ａの突き合わせ部分は、左側壁２ｃ上縁の中央と右側壁２ｄの上縁の中央とを直線状に結ぶ。同様に各下面外フラップ５ａの突き合わせ部分も、左側壁２ｃ下縁の中央と右側壁２ｄの下縁の中央とを直線状に結ぶ。
【００４４】
また、各上面内フラップ３ｂおよび各下面内フラップ５ｂも合同な方形であり、左側壁２ｃまたは右側壁２ｄの各上縁または各下縁から延出する方向の長さが左側壁２ｃまたは右側壁２ｄの上縁の長さの半分である。
【００４５】
段ボール箱１を組み立てる際には、前側壁２ａの左縁と左側壁２ｃの右縁とが一致するように、継ぎ代７を左側壁２ｃの内面に接着剤またはステープラーで固定する。継ぎ代７を左側壁２ｃの内面に固定することにより、段ボール箱１の四周側壁２が形成される。この際、表ライナ１ｂが段ボール箱１の外側、裏ライナ１ｃが内側に配置される。
【００４６】
四周側壁２を形成した後、下面内フラップ５ｂを内側に９０°折り曲げ、さらに下面外フラップ５ａを内側に９０°折り曲げる。折り曲げられた各下面外フラップ５ａは、上縁を突き合わせた状態となり、四周側壁２に囲まれる底壁（不図示）を構成する。各下面外フラップ５ａの突き合わせ部分から左側壁２ｃおよび右側壁２ｄの下部にかけて粘着テープ８を貼り付けることにより、段ボール箱１の底壁が固定される。底壁の固定は、下面内フラップ５ｂと下面外フラップ５ａとを接着剤またはステープラーで互いに固定することによって行ってもよい。
【００４７】
四周側壁２および底壁が形成された段ボール箱１は、上面内フラップ３ｂを内側に９０°折り曲げ、さらに上面外フラップ３ａを内側に９０°折り曲げる。折り曲げられた各上面外フラップ３ａは、上縁を突き合わせた状態となる。各上面外フラップ３ａの突き合わせ部分から左側壁２ｃおよび右側壁２ｄの上部にかけて粘着テープ９を貼り付けることにより、段ボール箱１が封緘される。
【００４８】
（切離領域および押込領域）
図１および図２に示すように、段ボール箱１は、左側壁２ｃおよび右側壁２ｄの前後方向中央の上部、すなわち各上面外フラップ３ａの突き合わせ部分の下方に、上方から順に切離領域１２と押込領域１１とを隣接して備える。
【００４９】
切離領域１２および押込領域１１は、後述するように段ボール箱１を構成する段ボール紙に設けられた切込線またはリード罫により形成され、いずれも左側壁２ｃおよび右側壁２ｄの一部を構成する。以下では左側壁２ｃまたは右側壁２ｄにおいて、切離領域１２および押込領域１１以外の部分を各側壁の「本体」ともいう。すなわち、左側壁２ｃおよび右側壁２ｄは、それぞれ、切離領域１２部分、押込領域１１部分、および本体からなる。
【００５０】
切離領域１２および押込領域１１を形成する切込線またはリード罫は、段ボール箱１を段ボール原紙から打ち抜くのと同時に設けてもよいし、打ち抜きの前後で設けてもよい。ただし、これらの切込線およびリード罫を打ち抜きと同時に設ければ、打ち抜き工程ならびに切込線およびリード罫を形成する工程に必要な時間を短縮することができ、展開状態の段ボール箱１を効率よく製造することができる。
【００５１】
図４は、段ボール箱の押込領域および切離領域周辺の部分拡大図である。切離領域１２は方形であり、上辺１２ａおよび下辺１２ｂ、左辺１２ｃおよび右辺１２ｄはそれぞれ互いに平行である。上辺１２ａおよび下辺１２ｂは前後方向（矢印Ａ方向の正逆方向）に延び、左辺１２ｃおよび右辺１２ｄは上下方向（矢印Ｃ方向の正逆方向）に延びる。下辺１２ｂ、左辺１２ｃおよび右辺１２ｄは、段ボール箱１を構成する段ボール紙を表ライナ１ｂから裏ライナ１ｃまで貫通する切込線であり、上辺１２ａはリード罫である。
【００５２】
ここで、「リード罫」とは、段ボール紙が筋状に押し込まれた押罫部と段ボール紙を貫通する切込部とが交互に設けられた罫線をいう。リード罫は、段ボール紙を折り曲げた際に当該罫線位置で折り曲げられる確実性が押罫に比べて高く、また小さい力で折り曲げることができる。図４に示すように、上辺１２ａのリード罫は、３か所の切込部１２ａ１とその間に設けられた２か所の押罫部１２ａ２とからなる。
【００５３】
押込領域１１は、切離領域１２の下方に隣接して設けられ、上縁１１ａと、下縁１１ｂと、押込線１１ｃとを有する。上縁１１ａ、下縁１１ｂおよび押込線１１ｃは横Ｈ字状に形成され、いずれも段ボール箱１を構成する段ボール紙を表ライナから裏ライナまで貫通する切込線である。
【００５４】
切離領域１２の位置は、左側壁２ｃおよび右側壁２ｄの各上面外フラップ３ａの突き合わせ部分の下方であれば、上下方向の位置は任意である。本実施形態では、粘着テープ９の端部を容易に切離領域１２内に位置させるとともに、粘着テープ９の使用量を必要最小限とするため、切離領域１２を左側壁２ｃおよび右側壁２ｄの前後方向中央の上部に配置した。
【００５５】
切離領域１２の大きさは、使用する粘着テープ９の幅に応じて決定することができ、図１に示すように上辺１２ａの長さが粘着テープ９の幅よりも広いことが好ましい。例えば粘着テープ９の幅が約５０ｍｍである場合には、切離領域１２の上辺１２ａの長さは５５〜７０ｍｍが好ましい。
【００５６】
切離領域１２の上辺１２ａのリード罫を構成する各切込部１２ａ１と各押罫部１２ａ２の数および長さは任意である。上辺１２ａの長さが、上記の好ましい範囲である場合において、例えば図４に示すように上辺１２ａの切込部１２ａ１を３か所、押罫部１２ａ２を２か所とするときには、両端の切込部１２ａ１の長さは５〜１５ｍｍ、中央の切込部の長さは１０〜２０ｍｍ、押罫部１２ａ２の長さは５〜１０ｍｍが好ましい。また、上辺１２ａの切込部１２ａ１および押罫部１２ａ２の数は特に限定されるものではない。
【００５７】
上縁１１ａの切込線は、切離領域１２の下辺１２ｂの切込線からなる。下縁１１ｂは、上縁１１ａの下方に上縁１１ａに平行に設けられ、下縁１１ｂの両端は上縁１１ａの両端と前後方向に一致する。押込線１１ｃは、上縁１１ａの中央と下縁１１ｂの中央とを上下方向に結ぶ。
【００５８】
押込領域１１の押込線１１ｃは、上縁１１ａと下縁１１ｂとを結ぶものであれば位置および形状は任意である。しかし本実施形態のように、上縁１１ａの中央と下縁１１ｂの中央とを結ぶように設けられるのが好ましい。
【００５９】
押込領域１１の上縁１１ａ及び下縁１１ｂの長さは、切離領域１２の上辺１２ａの長さと同じである。切離領域１２の上辺１２ａの長さが、５５〜７０ｍｍである場合、押込線１１ｃの上下方向の長さは２０〜４０ｍｍが好ましく、切離領域１２の左辺および右辺の長さは１５〜３５ｍｍが好ましい。
【００６０】
〈使用方法〉
本実施形態の段ボール箱１の使用方法について説明する。
【００６１】
段ボール箱１は、まず、四周側壁２および底壁を形成した状態とし、内部に適宜物品を収容させる。その後、各上面内フラップ３ｂを内側に向けて折り曲げ、各上面内フラップ３ｂに重ねて各上面外フラップ３ａを内側に向けて折り曲げ、各上面外フラップ３ａの上縁を突き合わせた状態とする。この状態で、図１に示すように各上面外フラップ３ａの突き合わせ部分から左側壁２ｃおよび右側壁２ｄの上部にかけて粘着テープ９を貼り付けることにより、段ボール箱１を封緘する。
【００６２】
粘着テープ９は、各端部が左右各側壁２ｃ、２ｄにおける各上面外フラップ３ａの突き合わせ部分下方の切離領域１２内にそれぞれ位置するように貼り付ける。
【００６３】
粘着テープ９により封緘された段ボール箱１は、以下の手順により粘着テープ９を剥がすことにより開封される。
【００６４】
まず、図５に示すように、右側壁２ｄの押込領域１１の押込線１１ｃ（図１参照）を指で押し込む。図５には、右側壁２ｄの押込線１１ｃを押し込む状態を示したが、左側壁２ｃの押込線１１ｃを押し込んでもよい。段ボール箱１には左側壁２ｃおよび右側壁２ｄのいずれにも押込領域１１および切離領域１２が設けられているため、段ボール箱１の向きを変える必要がない。
【００６５】
図５は、押込領域に隙間を形成する状態を示す模式図である。押込領域１１の押込線１１ｃを押し込むと、同図に示すように、左側壁２ｃまたは右側壁２ｄの押込線１１ｃの前後（矢印Ａの正逆方向）部分が観音開き状に内側に折れ曲がり、左側壁２ｃまたは右側壁２ｄには押込領域１１、すなわち切離領域１２の下辺１２ｂの下方に隙間１３が形成される。このとき、上縁１１ａの各端部と、それぞれの端部の下方に位置する下縁１１ｂの端部とを結ぶ線が折り目１１ｄとなる。
【００６６】
ここで、折り目が段ボール紙の幅方向と平行ではない場合、中芯１ａの段（図３参照）と折り目とが交差する。そのため、押込線１１ｃを押し込むには中芯１ａの段を折り曲げなければならず強い力が必要となるとともに、折り曲げた後の中芯１ａの段は元に戻ろうとする大きな反発力が発生する。
【００６７】
しかし、本実施形態では、段ボール箱１を構成する段ボール紙は幅方向が四周側壁２において上下方向となるように配置され、押込領域１１は切込線である上縁１１ａと下縁１１ｂの両端が上下方向で一致する。そのため、折り目１１ｄは段ボール紙の幅方向と平行となり、押込線１１ｃを押し込む際に段ボール紙の中芯１ａの段を折り目１１ｄで折り曲げる必要がなく、非常に軽い力で押し込むことができる。
【００６８】
また、本実施形態では、押込線１１ｃが上縁１１ａの中央と下縁１１ｂの中央とを結ぶように設けられている。そのため、観音開きの一対の扉を構成する押込線１１ｃの左側部分および右側部分をより軽い力で偏りなく押し込むことができる。
【００６９】
次に、押込領域１１において左側壁２ｃまたは右側壁２ｄに形成された隙間１３に指を差し込んで左側壁２ｃまたは右側壁２ｄの切離領域１２部分（以下、「側壁の切離領域１２部分」ともいう。）を掴み、外向きに引っ張る。切離領域１２は左辺１２ｃおよび右辺１２ｄが切込線であり、側壁の切離領域１２部分はリード罫である上辺１２ａだけが本体とつながっている。そのため、側壁の切離領域１２部分は非常に軽い力で上辺１２ａを軸として引き上げられる。
【００７０】
また、上述のように押込線１１ｃが上縁１１ａの中央と下縁１１ｂの中央とを結ぶように設けられているため、隙間１３の位置が切離領域１２の下辺１２ｂの中央の下方となり、側壁の切離領域１２部分が掴みやすい。
【００７１】
本実施形態では、図１および図５に示すように辺１２ａの長さが粘着テープ９の幅よりも広いため、切離領域１２の左辺１２ｃにも右辺１２ｄにも粘着テープ９が重ならないように貼り付けられる。このように粘着テープ９を貼り付けた場合、左辺１２ｃおよび右辺１２ｄの少なくとも一方に粘着テープ９が重なった場合に比べて軽い力で、側壁の切離領域１２部分を、上辺１２ａを軸として引き上げることができる。
【００７２】
折り目１１ｄは段ボール紙の幅方向と平行であり、折り目１１ｄに反発力が発生したとしても非常に小さい。そのため、押込領域１１において左側壁２ｃまたは右側壁２ｄに隙間１３を形成した後で一旦手を離したとしても形成された隙間は塞がりにくく、側壁の切離領域１２部分を掴んで引き上げる際に指が引っ掛かる可能性が低くなる。
【００７３】
さらに側壁の切離領域１２部分を引っ張ると、上辺１２ａが側壁の本体から切り離される。本実施形態に係る段ボール箱１では、切離領域１２の上辺１２ａはリード罫であるため、上辺１２ａの全体が単なる押罫である場合や、何らの罫線も設けられていない場合に比べて軽い力で、側壁の切離領域１２部分を本体から切り離すことができる。
【００７４】
本実施形態では、切離領域１２は図４に示すように上辺１２ａの両端が切込部１２ａ１である。そのため、切離領域１２の上辺１２ａの長さよりも粘着テープ９の幅が狭いことから、側壁の切離領域１２部分を引き上げて粘着テープ９を剥がす際に、両端の切込部１２ａ１がノッチとして作用し、段ボール紙の表ライナ１ｂが剥がれる方向が上辺１２ａの中央に向かう方向に誘導される。また、段ボール紙の表ライナ１ｂが剥がれる範囲は、上辺１２ａ全体ではなく、上辺１２ａのうち両端の切込部１２ａ１以外の部分の幅、または粘着テープ９が貼り付けられた部分の幅のうち広い方となる。
【００７５】
一方、上辺１２ａの端部が押罫部１２ａ２であると、段ボール紙の表ライナ１ｂが剥がれる方向が定まらず、表ライナ１ｂは上辺１２ａと同じかそれよりも広い幅で剥がれることとなる。
【００７６】
このように、上辺１２ａの両端が切込部１２ａ１であれば、上辺１２ａの少なくとも一端が表ライナが切断されていない押罫部１２ａ２である場合と比べて狭くすることができる。そのため、より軽い力で側壁の切離領域１２部分を粘着テープ９とともに本体から切り離すことができる。
【００７７】
図６は、切離領域を引き上げて粘着テープを剥がす状態を示す模式図である。切り離された側壁の切離領域１２部分には粘着テープ９の端部が貼りついているため、さらに側壁の切離領域１２部分を引き上げることにより、同図に示すように粘着テープ９を容易に段ボール箱１から剥がすことができる。そのため、粘着テープ９の端部を一つ一つ爪等で起こす必要がない。
【００７８】
このように、本実施形態に係る段ボール箱１によれば、押込領域１１において左側壁２ｃまたは右側壁２ｄに隙間１３を形成する段階だけでなく、隙間１３を形成した後、粘着テープ９を段ボール箱１から引き剥がすまでの一連の作業も、軽い力で行うことができる。
【００７９】
段ボール箱１には左側壁２ｃおよび右側壁２ｄのいずれにも押込領域１１および切離領域１２が設けられているため、開封後、残りの側壁の切離領域１２部分も段ボール箱１から切り離せば、左側壁２ｃおよび右側壁２ｄの切離領域１２に形成される開口部を持ち手として段ボール箱１を両手で容易にかつ安定して持ち上げることができる。
【００８０】
なお、段ボール紙の表ライナ１ｂと中芯１ａとの接着強度と、表ライナ１ｂと粘着テープ９との接着強度との関係や、側壁の切離領域１２部分を引っ張る速さによって、表ライナ１ｂから粘着テープ９が剥がれる場合と、粘着テープ９とともに表ライナ１ｂも剥がれる場合等がある。
【００８１】
〈変形例〉
上述の実施形態では、切離領域１２および押込領域１１が左側壁２ｃおよび右側壁２ｄの両方に設けられている場合について説明したが、左側壁２ｃおよび右側壁２ｄのうちいずれか一方にのみ設けられていてもよい。
【００８２】
切離領域１２は、上辺１２ａがリード罫、左辺１２ｃおよび右辺１２ｄが切込線である態様について説明したが、上辺１２ａ、左辺１２ｃおよび右辺１２ｄはこれ以外の態様、例えばミシン目であってもよいし、リード罫であってもよい。上辺１２ａは、段ボール紙の裏ライナ１ｃおよび中芯１ａを切り込み、表ライナ１ｂは切り込まない半切線であってもよい。
【００８３】
また、上述の実施形態では、上面内フラップ３ｂを備える段ボール箱１について説明したが、上面内フラップ３ｂはなくてもよい。また、段ボール箱１は、１枚の段ボール紙ではなく、複数枚の段ボール紙を組み合わせて形成してもよい。
【００８４】
上述の実施形態で説明した段ボール箱１は、底壁が各下面外フラップ５ａを突き合わせる構成であった。しかし、本考案は、上面外フラップ３ａを突き合わせる段ボール箱であれば、底壁の形態にかかわらず、どのような段ボール箱にも適用できる。例えば、底壁が、四周側壁２を構成する側壁のうち一枚の下縁のみから延出するものであってもよいし、各側壁の下縁から延出する４枚のフラップを組み込んで形成されるものであってもよい。また底壁がそれ以外の部分とは別の段ボール紙からなり、四周側壁２に固定されるものであってもよい。
【００８５】
また、本考案は、上面外フラップ３ａを突き合わせる構造の段ボール箱に限られず、上面から側面の上部にかけて粘着テープが貼り付けられる段ボール箱であれば、側面の粘着テープの端部が位置する部分に上述の切離領域を設け、当該切離領域の下方に隣接して上述の押込領域を設けることにより適用可能である。
【符号の説明】
【００８６】
１  段ボール箱
１ａ  中芯
１ｂ  表ライナ
１ｃ  裏ライナ
２  四周側壁
２ａ  前側壁
２ｂ  後側壁
２ｃ  左側壁
２ｄ  右側壁
３ａ  上面外フラップ（上面フラップ）
８、９  粘着テープ
１１  押込領域
１１ａ  上縁
１１ｂ  下縁
１１ｃ  押込線
１２  切離領域
１２ａ  上辺
１２ａ１  切込部
１２ａ２  押罫部
１２ｂ  下辺
１２ｃ  左辺
１２ｄ  右辺
【図１】
0003214314.tif 000003
【図２】
0003214314.tif 000004
【図３】
0003214314.tif 000005
【図４】
0003214314.tif 000006
【図５】
0003214314.tif 000007
【図６】
0003214314.tif 000008
【手続補正書】
【提出日】平成29年10月31日(2017.10.31)
【手続補正１】
【補正対象書類名】実用新案登録請求の範囲
【補正対象項目名】全文
【補正方法】変更
【補正の内容】
【実用新案登録請求の範囲】
【請求項１】
波状の中芯と、前記中芯の表面側に積層される表ライナと、前記中芯の裏面側に積層される裏ライナとを有する段ボール紙から組み立てられ、
底壁と、
前記底壁から立設された四周側壁と、
前記四周側壁のうち前側壁および後側壁の各上縁から延出するとともに内側に折り曲げると互いに上縁を突き合わせた状態となる上面フラップと、
を備え、
前記段ボール紙は、前記四周側壁において当該段ボール紙の幅方向が上下方向となるように配置され、
前記四周側壁のうち左側壁の上部から前記各上面フラップの突き合わせ部分を経て前記四周側壁のうち右側壁の上部にかけて封緘用の粘着テープが貼り付けられる段ボール箱であって、
前記左側壁および前記右側壁の少なくとも一方の、前記各上面フラップの突き合わせ部分の下方に、
前記粘着テープの端部が貼り付けられ、水平方向に延びる下辺が切込線からなる切り取り可能な方形の切離領域と、
前記切離領域の下方に隣接して設けられ、前記切離領域の前記切込線からなる上縁と、前記上縁の下方に切込線として設けられ、両端が前記上縁の両端と前後方向に一致する下縁と、前記上縁と前記下縁とを結ぶ切込線からなる押込線と、を有する押込領域と、
を備えることを特徴とする段ボール箱。
【請求項２】
前記左側壁および右側壁の両方に、前記切離領域および前記押込領域が設けられていることを特徴とする請求項１に記載の段ボール箱。
【請求項３】
前記切離領域は、左辺および右辺が切込線であり、上辺が複数の切込部と前記切込部の間に設けられた押罫部とからなるリード罫であることを特徴とする請求項１または請求項２に記載の段ボール箱。
【請求項４】
前記切離領域が、前記上辺の両端が前記切込部であることを特徴とする請求項３に記載の段ボール箱。